(57)【要約】      （修正有）【課題】次のような効果を奏する煉瓦とこれによる優れた排水機能を有する舗装構造を実現する。目詰りの発生が顕著に抑制でき、良好な透水、排水機能を奏する。大量の雨水等に対処し水を貯留しつつ排水を順次適正に処理でき、急激な排水により水が路面に溢れるなどの不都合を顕著に低減できる。目詰まりの防止が簡単にできて、保守管理が容易、かつコストも低廉である。【解決手段】被舗装面に敷設した複数の煉瓦Ａからなり、雨水その他の水を適正に処理するために透水性、保水性、排水性を有する舗装構造であって、前記煉瓦は、保水部１とこの保水部と表面間とを連通する通水路２を有してなり、前記保水部は中空室１とこの中空室に充填される保水材とから構成した舗装構造を実現して上記課題を解決する。【選択図】図２
2008169571.tif 000002
【特許請求の範囲】
【請求項１】
被舗装面に敷設した複数の煉瓦からなり、雨水その他の水を適正に処理するために透水性、保水性、排水性を有する舗装構造であって、前記煉瓦は、保水部とこの保水部と表面間とを連通する通水路を有してなり、前記保水部は中空室とこの中空室に充填される保水材とから構成したことを特徴とする透水性、保水性、排水性を具えた舗装構造。
【請求項２】
請求項１記載の透水性、保水性、排水性を具えた舗装構造において、前記煉瓦は透水性、吸水を具え、前記通水路の開口部には保水材を充填したことを特徴とする透水性、保水性、排水性を具えた舗装構造。
【請求項３】
請求項1又は２記載の透水性、保水性、排水性を具えた舗装構造において、保水部には、さらに煉瓦裏面と保水部との間を貫通する排水路を設けたことを特徴とする透水性、保水性、排水性を具えた舗装構造。
【請求項４】
請求項１ないし３いずれか記載の透水性、保水性、排水性を具えた舗装構造において、前記中空室に充填する保水材ならびに通水路の開口部に充填する保水材は焼成して成型した凝灰岩、成型した珪藻土、レンガ砕片、鋳物砂のいずれかであることを特徴とする透水性、保水性、排水性を具えた舗装構造。
【請求項５】
雨水その他の降水処理に関して透水機能、保水機能、排水機能を有する煉瓦であって、この煉瓦は、保水部とこの保水部と表面間とを連通する通水路を有してなり、前記保水部は中空室とこれに充填される保水材とから構成したことを特徴とする透水性、保水性、排水性を具えた煉瓦。
【請求項６】
請求項５記載の煉瓦において、煉瓦は透水性、吸水を具え、前記通水路の開口部には保水材を充填したことを特徴とする透水性、保水性、排水性を具えた煉瓦。
【請求項７】
請求項５又は６記載の煉瓦において、保水部には、さらに煉瓦裏面と保水部との間を貫通する排水路を設けたことを特徴とする透水性、保水性、排水性を具えたことを特徴とする煉瓦。
【請求項８】
請求項５ないし７いずれか記載の煉瓦において、前記中空室に充填する保水材ならびに通水路の開口部に充填する保水剤は焼成して成型した凝灰岩、成型した珪藻土、レンガ砕片、鋳物砂のいずれかであることを特徴とする透水性、保水性、排水性を具えたことを特徴とする煉瓦。
【発明の詳細な説明】
【技術分野】
【０００１】
本願発明は、路床その他の舗装構造とこれに使用する煉瓦に関し、詳しくは、常に良好な表面排水性を維持するために、それ自体が透水機能、保水機能、排水機能を有する煉瓦とこれを使用した舗装構造に関するものである。
【背景技術】
【０００２】
従来、舗道舗装の工法としては大別して２通りがあり、それらは、道路全体を舗装材料で一面的に覆う方法と、道路に舗道用煉瓦を敷き詰めていく方法が知られている。このような舗道においては、安全性や快適性などを考慮すると、雨水や放出された水などを、舗道上面から早急に排除する必要があり、現在まで、そのための排水方法に多くの工夫がなされてきた。
【０００３】
一般的に、道路全体を舗装材料で一面的に覆う方法においては、その舗装材料として、アスファルト系、セメントコンクリート系、および、合成樹脂系の材料が用いられており、このような舗道はその舗道自体透水性を持たないために、路肩などに設けた排水溝を用いて、舗道上面に存在する雨水等の排水を行っている。
【０００４】
一方、舗装用煉瓦を敷き詰めていく方法においては、そのブロックの材質には、セラミックスあるいはセメントコンクリートなどが広く一般的に使用されており、これらの透水性舗道用煉瓦には、０．５ｍｍ径以上の大きさの透水孔を多数有しているものが用いられている。舗道上面の水は、その透水孔を通過して、地下の地盤中に排出されることになる。
なお、本願発明に関連する文献とした以下のものが存在する。
【特許文献１】特開２００４−３２６９号公報
【特許文献２】特公平４−４８８８１号公報
【特許文献３】特開平４−６００３３号公報
【特許文献４】特開平１１−３６２１０号公報
【特許文献５】特開平７−４１３５６号公報
【特許文献６】特開平２−１２９０５８号公報
【発明の開示】
【発明が解決しようとする課題】
【０００５】
しかしながら、このような従来の透水性舗道用煉瓦は、舗装材料で覆う方法に比べてその透水性に優れているものの、透水孔が粉塵などの微粒子により目詰まりを起こしてしまい、透水性が非常に低下してしまう場合がある。このため、定期的に舗道の掃除を行わなければならず、その維持管理に少なからざるコストを要していた。
【０００６】
また、一般的にこのような透水性舗道用煉瓦の施工は、地盤の上部に粒径の粗い砂を圧縮し、その砂の上部にタイルを敷き詰めていくというサンドクッション工法を用いて施工されており、このような工法で形成された舗道用煉瓦においては、雨水や放出された水などの液体は、その舗道用煉瓦を透漉して、砂層内に一時貯水され、路盤傾斜面にそって徐々に排水される構造をとっている。
【０００７】
ところが、このような舗道用煉瓦においては、雨水や放出された水などの液体の流動によって砂層内部に不規則な水路が多数発生する場合があり、その結果、路盤地耐圧の分布が非常に不安定となり、長期的に安定した状態を保つことができなかった。このため、定期的に補修工事などを行う必要があり、その労力も大きなものとなっていた。
【０００８】
本願発明は、上記事情に鑑みてなされたものであって、粉塵などの微粒子による目詰まりを回避し、砂層の不規則な水路の発生を極力回避でき、それらの保守管理を低廉なコストで容易に為し得て、総合的な維持管理が極めて容易な舗装構造ならびにこれに用いる煉瓦の実現を目的としている。
【課題を解決するための手段】
【０００９】
本願発明は、被舗装面に敷設した複数の煉瓦からなり、雨水その他の水を適正に処理するために透水性、保水性、排水性を有する舗装構造であって、前記煉瓦は、保水部とこの保水部と表面間とを連通する通水路を有してなり、前記保水部は中空室とこの中空室に充填される保水材とから構成して、透水性、保水性、排水性を確保できる舗装構造を実現して上記従来の課題を解決しようとするものである。
【００１０】
また、上記の透水性、保水性、排水性を具えた舗装構造において、前記煉瓦は透水性、吸水を具え、前記通水路の開口部には保水材を充填して構成することがある。
【００１１】
さらに、求項1又は２記載の透水性、保水性、排水性を具えた舗装構造において、保水部には、さらに煉瓦裏面と保水部との間を貫通する排水路を設けることがある。
【００１２】
さらにまた、上記いずれかの透水性、保水性、排水性を具えた舗装構造において、前記中空室に充填する保水材ならびに通水路の開口部に充填する保水材は焼成して成型した凝灰岩、成型した珪藻土、レンガ砕片、鋳物砂のいずれかで構成することがある。
【００１３】
本願発明はまた、雨水その他の降水処理に関して透水機能、保水機能、排水機能を有する煉瓦であって、この煉瓦は、保水部とこの保水部と表面間とを連通する通水路を有してなり、前記保水部は中空室とこれに充填される保水材とから構成する煉瓦を提供して、上記従来の課題を解決する。
【００１４】
また、上記の煉瓦において、煉瓦は透水性、吸水を具え、前記通水路の開口部には保水材を充填する構成となすことがある。
【００１５】
さらに、上記いずれかの煉瓦において、保水部には、さらに煉瓦裏面と保水部との間を貫通する排水路を設ける構成となすことがある。
【００１６】
また、上記いれかの煉瓦において、前記中空室に充填する保水材ならびに通水路の開口部に充填する保水剤は焼成して成型した凝灰岩、成型した珪藻土、レンガ砕片、鋳物砂のいずれかとなすことがある。
【００１７】
そしてまた、上記いずれか記載の煉瓦において、煉瓦に替えて透水性コンクリート成型体で形成するようになすことがある。
【発明の効果】
【００１８】
本願発明に係る舗装構造ならびにこれに使用する煉瓦は上述の構成となしたので以下のような効果を得ることができる。
イ．  垂直方向に通水路を、また水平方向に所定期間水を保持する保水室を設けたので、煉瓦自体の透水機能にのみ依拠する場合に比べて、目詰りの発生が顕著に抑制でき、良好な透水、排水機能を奏する。
ロ．  保水室を有するので、大量の雨水、降水に対処して水を保水室に貯留しつつ排水    
を順次適正に処理できて、急激な排水により水が路面に溢れるなどの不都合を顕著に低減できる。
ハ．  目詰まりの防止が容易であるなど、保守管理が容易でそのコストも低廉である。
ニ．  また、保水室には水が貯留されるから、比熱が大きい水により温度調節が可能になり、さらには夏季には水の蒸散による放熱効果も得られる。
【発明を実施するための最良の形態】
【００１９】
図面にもとづいて、舗装構造とこれに使用する煉瓦を併せて説明する。  図１、２、３は、それぞれ、本願発明の煉瓦に係る一実施形態を示す斜視図、一部切欠斜視図ならびに断面図である。  図1において、Ａは煉瓦であり、吸水率５ないし１０％の焼成セラミックにより形成されるこの煉瓦Ａは、保水部１とこの保水部１と表面間とを連通する通水路を有する一方、図3に示すようにしてなり、保水部１の底面と煉瓦Ａの裏面との間に排水路２が形成されている。    
【００２０】
前記保水部１は煉瓦の長手方向において一方の側面から他方の側面に貫通形成される中空室で構成されており、この保水部としての中空室１には図2に示すように保水材４が充填されている。  この実施形態では保水材４として、凝灰岩を焼成（摂氏800-1000度）して成型したものを前記中空室１に充填している。この凝灰岩は例えば「モルデナイトゼオライト凝灰岩」と呼ばれる吸水率が３６％におよぶものを使用し、内部の保水性を高め煉瓦表面の貯水を防ぎつつ、舗装材に一時水分を保持させて急激な排水を緩和して徐々に放水するようにして、大量の降雨等に適正に対処できるようにする。
【００２１】
なお、保水材４としては上記の他に、珪藻土、煉瓦くずの粉砕片、鋳物砂等をも使用でき、特に焼成煉瓦くずは煉瓦焼成時に必ず発生するものであり、従来はその残材処理が困難であったから、このような使用により有効に活用する途が開ける。
【００２２】
中空室１は、上記では断面方形に形成されているが、その形状は円形その他自在であり特に制限されない。  また、上記ではそれぞれ中空室１に接続する通水路２、排水路３のみを示しているが、煉瓦Ａの表面から裏面に中空室１を経由しない通直な管路を形成して通水性を高めることもある。
【００２３】
ところで、図3に示すように、煉瓦Ａ表面における通水路２の開口部は常に露出するため各種のごみが流入して目詰りが発生し易い。これを防止するために、図３に示すように通水路２の開口部近傍にフィルターを兼ねて、前記保水材すなわち凝灰岩の砕片、珪藻土、焼成煉瓦くずの粉砕片等を充填することが望ましい。
【００２４】
通水路２を通過する雨水その他の降水は保水部としての中空室１に落下し保水材４にいったん保持・貯留された後、排水路３を経て徐々に煉瓦としての煉瓦Ａ外に放出され路床に至り最終的に土中等に浸透することとなる。
【００２５】
上記実施例では焼成煉瓦による場合を説明したが、煉瓦に替えて前記凝灰岩によるブロックや透水性コンクリート等を使用することができる。  特に凝灰岩による場合は、舗装材と自体の吸水率が高く、また重量も軽くなり輸送コストの軽減や施工効率の向上が可能になるという利点がある。
【００２６】
図４は、煉瓦Ａの他の実施形態を示す図で、図４（a）は煉瓦Ａの一部切欠上面図、同図（b）は煉瓦Ａの表面近傍の一部拡大断面図である。
煉瓦Ａの表面には凹部１１、凸部１２が波模様になるように形成されていて、煉瓦Ａの通水路２の表面側における開口部２ｂ,２ｂは前記凹部11に形成され、煉瓦Ａ表面において開口部２ｂへの集水が容易になるように構成されている。
【００２７】
図５は、舗装構造の一実施形態に係る一部切欠断面図である。図において、煉瓦としての煉瓦Ａは被舗装面の土壌Ｓ中に埋め込み敷設されている。  煉瓦Ａの構成は、上記段落番号００２０ないし００２７おいて説明したものである。  この実施形態では土壌Ｓの上に、順次に砕石層Ｓ２、砂層Ｓ３、透水コンクリート層Ｓ４を積層したうえ、この透水コンクリート層Ｓ４上に煉瓦Ａを接着剤層Ｓ５を介して固定する構成になっている。  煉瓦Ａの設置される路床面等を前記のように構成することで、煉瓦Ａの有する優れた排水機能と相まって全体的な排水性が格段に向上する。
【００２８】
なお、ここで煉瓦Ａの作用について付言すれば、図３において、雨水等は通水路２から保水部としての中空室１に滴下した水はいったん保水材４に保持・貯留されるが、その量が保水材４の能力限界に達すると排水路３を経て外部に排出され、多くの場合は土中に浸透される。  なお、排水性の悪い箇所では土中に排出せず、別途の排水管を介して処理するようにしてもよい。  このように、雨水等は、いったん保水部１に貯留されてから排出されるようになっているから、降雨等が一時に増加しても適正に対処することができる。  また、水の比熱は高いから、保水部１に水が存在することにより煉瓦Ａの温度を恒温状態に維持することができる。また、特に夏季には保水部の水が蒸散してヒートアイランド現象の緩和に資することもできる。  
【図面の簡単な説明】
【００２９】
【図１】本願発明に係る煉瓦Ａの１実施形態を示す斜視図である。
【図２】同上の一部切斜視図である。
【図３】本願発明に係る煉瓦Ａの１実施形態を示す断面図である。
【図４】煉瓦の表面の１実施形態を示す説明図である。
【図５】舗装構造の一実施形態を示す一部切欠断面図である。
【符号の説明】
【００３０】
Ａ．．．．．．．煉瓦
１．．．．．．．保水部（中空室）
２．．．．．．．通水路
３．．．．．．．排水路
４．．．．．．．保水材
１１．．．．．．凹部
１２．．．．．．凸部  
【図１】
2008169571.tif 000003
【図２】
2008169571.tif 000004
【図３】
2008169571.tif 000005
【図４】
2008169571.tif 000006
【図５】
2008169571.tif 000007